(57)【要約】【課題】少量の水がヘアキャッチャからトラップ本体内に落下する際に、水滴の落下音を抑制することができる排水トラップを提供する。【解決手段】トラップ本体と、封水筒と、前記トラップ本体内部に髪の毛が流入することを防止するための網目部を有するヘアキャッチャと、を備えた排水トラップであって、前記ヘアキャッチャの底面には、前記ヘアキャッチャが取り付けられた状態で前記ヘアキャッチャと前記ヘアキャッチャ載置部の間に隙間が生じるように下方に突出した凸部が一体または別体に形成されていることを特徴とする。【選択図】  図２
2009275483.tif 000002
【特許請求の範囲】
【請求項１】
上部に洗い場床からの排水が流入する開口が形成されたトラップ本体と、
前記開口に挿通されるとともに上下が貫通された筒状部を有し、前記トラップ本体と  によって封水部が形成されるように取り付けられる封水筒と、
前記封水筒のヘアキャッチャ載置部の上部に載置され、前記トラップ本体内部に髪の毛が流入することを防止するための網目部を有するヘアキャッチャと、を備えた排水トラップであって、
前記ヘアキャッチャの底面には、前記ヘアキャッチャが取り付けられた状態で前記ヘアキャッチャと前記ヘアキャッチャ載置部の間に隙間が生じるように下方に突出した凸部が一体または別体に形成されている
ことを特徴とする排水トラップ。
【請求項２】
上部に洗い場床からの排水が流入する開口が形成されたトラップ本体と、
前記開口に挿通されるとともに上下が貫通された筒状部を有し、前記トラップ本体と  によって封水部が形成されるように取り付けられる封水筒と、
前記封水筒のヘアキャッチャ載置部の上部に載置され、前記トラップ本体内部に髪の毛が流入することを防止するための網目部を有するヘアキャッチャと、を備えた排水トラップであって、
前記ヘアキャッチャ載置部には、前記ヘアキャッチャが取り付けられた状態で前記ヘアキャッチャと前記ヘアキャッチャ載置部の間に隙間が生じるように上方に突出した凸部が一体または別体に形成されている
ことを特徴とする排水トラップ。
【請求項３】
前記凸部は、間隔を空けて複数個、形成されていることを特徴とする請求項１または２記載の排水トラップ。
【発明の詳細な説明】
【技術分野】
【０００１】
本発明は、ユニットバス等の浴室に設置される排水トラップに係り、特に髪の毛等のごみ類を捕集するヘアキャッチャを有する排水トラップに関する。
【背景技術】
【０００２】
一般的に排水トラップは、トラップ本体と、封水筒とによって、封水を形成し、排水トラップ下流側の臭気が浴室内に流入することを防止している。また、特許文献１および特許文献２では、浴室の洗い場で使用された水が排水トラップ内に流入する開口には、髪の毛等のごみ類を捕集するために、網目状のヘアキャッチャが着脱可能に取り付けられている。このように、開口にヘアキャッチャを取り付けることで、排水トラップ内に髪の毛等のごみ類が流入することを防止することができる。
【０００３】
【特許文献１】特許第３７２８６８８号公報
【特許文献２】特開２００５−３２５５２４号公報
【発明の開示】
【発明が解決しようとする課題】
【０００４】
しかしながら、封水の上面とヘアキャッチャの下面との間は、ヘアキャッチャが常時、封水に浸ることがないように間隔を空けて取り付けられている。従って、洗い場からの排水末期など、少量の水がヘアキャッチャからトラップ本体内に落下する際、直接封水面上に落下するため、水滴の落下音が発生するという問題点があった。このような水滴の落下音は使用者にとっては不快な音である。特許文献１や特許文献２では、ヘアキャッチャが載置されるヘアキャッチャ載置部と、ヘアキャッチャの周縁部とが、全周で接していたため、少量の水であっても、ヘアキャッチャの網目部まで水が浸入し、網目部から水滴が落下し、落下音が発生していた。
【０００５】
本発明は、上述した事情を考慮してなされたもので、少量の水が洗い場床から排水トラップ内に流下する際に発生する水滴の落下音を抑制することができる排水トラップを提供する。
【課題を解決するための手段】
【０００６】
本発明に係る排水トラップでは、上述した課題を解決するために、上部に洗い場床からの排水が流入する開口が形成されたトラップ本体と、前記開口に挿通されるとともに上下が貫通された筒状部を有し、前記トラップ本体とによって封水部が形成されるように取り付けられる封水筒と、前記封水筒のヘアキャッチャ載置部の上部に載置され、前記トラップ本体内部に髪の毛が流入することを防止するための網目部を有するヘアキャッチャと、を備えた排水トラップであって、前記ヘアキャッチャの底面には、前記ヘアキャッチャが取り付けられた状態で前記ヘアキャッチャと前記ヘアキャッチャ載置部の間に隙間が生じるように下方に突出した凸部が一体または別体に形成されていることを特徴とする。
【０００７】
また、上部に洗い場床からの排水が流入する開口が形成されたトラップ本体と、前記開口に挿通されるとともに上下が貫通された筒状部を有し、前記トラップ本体とによって封水部が形成されるように取り付けられる封水筒と、前記封水筒のヘアキャッチャ載置部の上部に載置され、前記トラップ本体内部に髪の毛が流入することを防止するための網目部を有するヘアキャッチャと、を備えた排水トラップであって、前記ヘアキャッチャ載置部には、前記ヘアキャッチャが取り付けられた状態で前記ヘアキャッチャと前記ヘアキャッチャ載置部の間に隙間が生じるように上方に突出した凸部が一体または別体に形成されていることを特徴とする。
【発明の効果】
【０００８】
本発明に係る排水トラップによれば、少量の水が洗い場床から排水トラップ内に流下する際に、ヘアキャッチャ載置部とヘアキャッチャの周縁部との間に隙間が形成されているため、水は封水筒内面を伝って流れ、ヘアキャッチャからトラップ本体内の封水面上に直接、水が落下する落下音を抑制することができる。
【発明を実施するための最良の形態】
【０００９】
本発明に係る排水トラップの第１の実施形態について、添付図面を参照して説明する。図１は、本実施形態に係る排水トラップ１の縦断面図である。
【００１０】
この排水トラップ１は、トラップ本体２と、このトラップ本体を洗い場の床パンに取設するための取付フランジ６と、封水を形成するための封水筒７と、髪の毛等のごみ類がトラップ本体内部に流入しないように捕集する網目部を有するヘアキャッチャと、をその主要な構成要素とする。
【００１１】
これらの中、トラップ本体２は、合成樹脂等で成型され、上部が開口する略碗状のトラップ主要部３と、このトラップ主要部３と同材で成型された蓋部４との２部材を溶着させて一体に形成される。蓋部４には、その開口する内端に、雌ねじが螺刻された雌ねじ部４ａが設けられる。
【００１２】
トラップ本体２には、下部側中央に所定高さの溜水室ＷＲが形成されるとともに、この溜水室ＷＲの下部に連通するように、浴槽からの排水を集める流入管１０が接続される浴槽排水取水部２ａが形成されている。浴槽排水取水部２ａには、流入する水流を略下方に折曲すべく上方に閉じた整流部材８が、溜水室ＷＲ内へ突出して設けられる。
【００１３】
また、トラップ本体２には、溜水室ＷＲの上方側と連通するように、トラップ排水部２ｂが形成され、排水トラップ１の排水を外部へ導出する排水管（図示せず）が接続されている。
【００１４】
トラップ排水部２ｂが開口されたトラップ本体側面は、トラップ排水部２ｂの略下半まで立ち上げられ、溜水室ＷＲの封水高さを形成する隔壁２ｃを構成する。
【００１５】
他方、取付フランジ６は、トラップ本体２の蓋部４の雌ねじと螺合する雄ねじが螺刻された雄ねじ部６ａと、この雄ねじ部６ａ上端から外方へ延出するフランジ部６ｂとを有する。フランジ部６ｂは、洗い場床の排水口底面に載置された状態で、蓋部４の上面と取付フランジ６のフランジ部６ｂとで洗い場床を挟み込んだ状態でトラップ本体を固定する構造となっている。
【００１６】
そして、封水筒７は、上下が解放された筒状部７ａと、この筒状部７ａ上端から外方へ延出する環状部７ｂとを有する。筒状部７ａと環状部７ｂとの接続部は、図３にその詳細を示すように、環状部７ｂ上面より段落ちした平坦面であるヘアキャッチャ載置部７ｃが形成され、ここにヘアキャッチャ９の外縁が載置される。
【００１７】
このトラップ本体２と取付フランジ６は、蓋部４の雌ねじ部４ａと取付フランジ６の雄ねじ部６ａとを螺合させることによって一体化される。
【００１８】
これに対し、封水筒７は、その筒状部７ａをトラップ本体２の蓋部４に開口された開口部に挿入して、取付フランジ６のフランジ部６ａ上に、封水筒７の環状部７ｂを載置させて着脱自在に取設される。
【００１９】
このように、本実施形態に係る封水筒７の環状部７ｂ及び取付フランジ６のフランジ部６ａは、トラップ本体２の開口の内側に突出して上下に配設され、本発明の鍔部を構成する。
【００２０】
ヘアキャッチャ９は、図１に示すように、封水筒７のヘアキャッチャ載置部に載置される外環部９ａ内に、網部９ｂが形成され、網部９ｂの中央部には、円筒状の内環部９ｃが立ち上がっている。
【００２１】
また、ヘアキャッチャ９は、取り外しのための取っ手部９ｄを備え、この取っ手部９ｄは、指で抓み易いように、外環部９ａ上に外方へ指向する略楕円の形状を有する板材で形成される。
【００２２】
また、図２に示すようにヘアキャッチャ９裏面のヘアキャッチャ載置部に載置される部分には、下方に突出した凸部９ｅがヘアキャッチャと一体または別体に形成されている。凸部は、等間隔に合計４個、形成されており、各凸部の高さは略均等であり、０．５ｍｍ〜２ｍｍ程度の高さを有している。各凸部の高さは、ヘアキャッチャ９が取り付けられた状態で、ヘアキャッチャーの外周端部が封水筒の環状部７ｂよりも高くならないように形成されている。
【００２３】
次に、封水筒にヘアキャッチャーが取り付けられた状態について説明する。図３は図１のＡ部拡大図で、ヘアキャッチャーの凸部とヘアキャチャーの載置部とが接触している部分の断面を示す。また図４は、前記以外の、ヘアキャッチャーの凸部とヘアキャッチャー載置部とが接触していない部分の断面を示す。
【００２４】
図３に示すように、ヘアキャッチャーをヘアキャッチャー載置面に載置した際、ヘアキャッチャーの下方に突出した凸部が、ヘアキャッチャーの載置面と接触する。一方、ヘアキャッチャー周縁部の凸部以外は、図４に示すように、ヘアキャッチャーの載置面と接触せず、ヘアキャッチャー周縁部とヘアキャッチャー載置面との間には、凸部の高さ分の隙間が生じる。また、凸部の形状に関しては、複雑な場合、清掃性の悪化や汚れ溜まりの原因になることが考えられるため、半球形または円柱形等のシンプルなＲ曲面形状とすることが好ましい。
【００２５】
このとき、少量の水が排水口に流れてきたときに、水がどのように流れ落ちていくのかを説明する。排水口に流れてきた水は、封水筒上方の環状部を通過した後、大半がヘアキャッチャーの周縁部とヘアキャッチャー載置面の間に形成された隙間を通り、封水筒の内面を伝って、封水面へ流れ落ちていく。よって、封水面上に直接水が落下する量が少なくなり、封水面に落下する落下音を抑制することができる。
【００２６】
つぎに、本発明の第２実施形態による排水トラップについて説明する。
図５〜図７に示すように、本実施形態の排水トラップは、ヘアキャッチャを封水筒のヘアキャッチャ載置部上に載置した際に、ヘアキャッチャ載置部とヘアキャッチャの周縁部との間に隙間を発生させる構造が上述した第１実施形態の排水トラップ１の構造と異なっており、その他の構成については、第１実施形態の構成と同一であるため、これら同一の構成については説明を省略する。
【００２７】
本実施形態によれば、図５に示すように封水筒のヘアキャッチャ載置部上には、上方に突出した凸部７ｆが封水筒と一体または別体に形成されている。凸部は、等間隔に合計４個、形成されており、各凸部の高さは略均等であり、０．５ｍｍ〜２ｍｍ程度の高さを有している。各凸部の高さは、ヘアキャッチャ９が取り付けられた状態で、ヘアキャッチャーの外周端部が封水筒の環状部７ｂよりも高くならないように形成されている。
【００２８】
次に、封水筒にヘアキャッチャーが取り付けられた状態について説明する。図６はヘアキャッチャーの周縁部とヘアキャチャー載置面上の凸部とが接触している部分の断面を示す。また図７は、前記以外の、ヘアキャッチャーの周縁部とヘアキャッチャー載置面上の凸部とが接触していない部分の断面を示す。
【００２９】
図６に示すように、ヘアキャッチャーをヘアキャッチャー載置面に載置した際、ヘアキャッチャーの載置面上に突出した凸部が、ヘアキャッチャー周縁部と接触する。一方、ヘアキャッチャー載置面上に突出した凸部以外は、図７に示すようにヘアキャッチャー周縁部と接触せず、ヘアキャッチャー周縁部とヘアキャッチャー載置面との間には、凸部の高さ分の隙間が生じる。また、凸部の形状に関しては、複雑な場合、清掃性の悪化や汚れ溜まりの原因になることが考えられるため、半球形または円柱形等のシンプルなＲ曲面形状とすることが好ましい。
【００３０】
このとき、少量の水が排水口に流れてきたときに、水がどのように流れ落ちていくのかを説明する。排水口に流れてきた水は、封水筒上方の環状部を通過した後、大半がヘアキャッチャーの周縁部とヘアキャッチャー載置面の間に形成された隙間を通り、封水筒の内面を伝って、封水面へ流れ落ちていく。よって、封水面上に直接水が落下する量が少なくなり、封水面に落下する落下音を抑制することができる。
【図面の簡単な説明】
【００３１】
【図１】本発明に係る排水トラップの縦断面図。
【図２】第１の実施形態に係る、ヘアキャッチャの斜視図
【図３】第１の実施形態に係る、図１のＡ部拡大断面図
【図４】第１の実施形態に係る、ヘアキャッチャーの凸部とヘアキャッチャー載置部とが接触していない部分の断面図
【図５】第２の実施形態に係る、封水筒の斜視図
【図６】第２の実施形態に係る、ヘアキャッチャーの周縁部とヘアキャチャー載置面上の凸部とが接触している部分の断面図
【図７】第２の実施形態に係る、ヘアキャッチャーの周縁部とヘアキャッチャー載置面上の凸部とが接触していない部分の断面図
【符号の説明】
【００３２】
１  排水トラップ
２  トラップ本体
２ａ  浴槽排水取水部
２ｂ  トラップ排水部
２ｃ  隔壁
３  トラップ主要部
４  蓋部
６  取付フランジ
６ａ  雄ねじ部
６ｂ  フランジ部
６ｃ  掛止部
６ｄ  平坦面
６ｅ  突起部
７  封水筒
７ａ  筒状部
７ｂ  環状部
７ｃ  平坦面
７ｄ  突起部
７ｅ  環状部内面
７ｆ  ヘアキャッチャ載置部上の凸部
８  整流部材
９  ヘアキャッチャ
９ａ  外環部
９ｂ  網部
９ｃ  内環部
９ｄ  取っ手部
９ｅ  ヘアキャッチャーの下方に突出した凸部
１０  流入管
ＷＲ  溜水室
【図１】
2009275483.tif 000003
【図２】
2009275483.tif 000004
【図３】
2009275483.tif 000005
【図４】
2009275483.tif 000006
【図５】
2009275483.tif 000007
【図６】
2009275483.tif 000008
【図７】
2009275483.tif 000009